(57)【要約】【課題】本考案は自動車運転中ブレーキ操作による実効減速開始の表示と完全走行停止時、減速中から加速開始時の表示を動物の眼を利用して行おうとするものである。【解決手段】本考案は課題解決の手段として自動車運転走行中ブレーキ操作により鉄球が車両前方に転がる力を利用しそれをプレートの回転運動に変えさらに上下運動に変え回転表示盤を糸で回しキャラクターの片眼を閉じたり、開いたりさせることで表示を行う。走行中ブレーキにより減速されると片眼を閉じ加速されると同時に片眼を開きます。さらに走行停止時は停止地点より数メートル手前で片眼を閉じ、完全停止すると、同時に開きます。自動車後部に設置。依って軽量小型を考慮した。本体総重量２００ｇ以下。本体寸法１７０×１３５×８０ミリメートル【選択図】　図３
0003097801.tif 000002
【実用新案登録請求の範囲】
【請求項１】
本考案は鉄球とプレートを使用し自動車の制動時及び加速時の鉄球の転がりをプレートの回転運動に変えさらに上下運動に変えるところを特徴とし本体に表示変換装置を組み立てたものである。
【請求項２】
本考案は本体の表示変換部をキャラクターの片眼とするところを特徴とし、そこに絵、文字がつけられる。
【考案の詳細な説明】
【０００１】
【考案の属する技術分野】
本考案は自動車運転走行時他運転者にブレーキ実効制動時、加速開始時、完全停止時を表示伝達するため現状の電気による装置以外さらに制動に関する表示を詳細にしたものである。
【０００２】
【従来の技術】
自動車運転走行中、制動、停止、を他運転者に伝達方法としては現状の制動灯ハザード灯等、電気による装置である。
【０００３】
【考案が解決しようとする課題】
自動車運転走行時ブレーキ実効制動時、減速中から加速開始時、完全停止時を現状他運転者に表示伝達する手段は無く、これらの表示を電気による表示以外で行う。
【０００４】
【課題を解決するための手段】
課題を解決するための手段として鉄球とプレートを使用し自動車の制動時及び加速時の鉄球の転がりをプレートの回転運動に変え本体の一部に表示装置を設けてブレーキ制動減速中及び加速開始の表示を行う。
【０００５】
【考案の実施の形態】
【実施例】
本考案本体を自動車後部ウインドウ側後方に向け本体のベースにおもりをのせ垂直に固定又は底部を両面接着テープで固定設置する。又、設置場所が無い時は、本体吸着盤取り付け穴を利用し後部ガラス面に吸着盤で垂直に固定する。本考案本体は動物の片眼がブレーキ制動により動き、眼の状態を変えることが可能。
自動車発進時両眼は開放通常走行中エンジンブレーキでは動作しないがフートブレーキ操作時に動作します。つまり片眼を閉じます、そして完全停止同時に反動作をします。又完全停止後鉄球は発進時の位置に戻り下部プレートを回し動物の片腕を動かす。さらに発進を繰り返しブレーキ制動をかけると片腕からアームがはずれ動物は片手を上下動作をする。さらに夜間には両眼に夜光塗料を塗布し完全停止同時に閉じた片眼も開いて反射表示させる。又自動車後部の狭い場所に設置する為軽量小型を考慮した。本体総重量２００ｇ以下、本体寸法１７０×１３５×８０ミリ
【０００６】
【考案の効果】
従来の自動車制動灯は実際に減速状態に無いときでもブレーキのあそび、足のせにより点灯する。又フートブレーキ実効減速時、減速中から加速開始時、完全停止時の他運転者への表示伝達は無く、これらを本考案により表示することにより前方走行車両の走行状態をさらに早く予知することが可能になり後続車両運転者がより正確な制動時期を確認することができ、依って交通の流れ、安全走行に効果が見込める。
【図面の簡単な説明】
【図１】表示部を示す本体正面図である。
【図２】鉄球とプレート、回転表示盤の位置を示す本体側面図である。
【図３】回転表示盤回転角度、上下動手を示す本体背面図である。
【図４】本体ベースを示す本体上面図である。
【符号の説明】
１　　　　表面表示用孔
２、　４、吸着盤取り付け穴
３　　　　上下動手
５　　　　回転表示盤
６　　　　糸
７　　　　アーム
８　　　　鉄球
９　　　　おもり
１０　　　　回転プレート
１１　　　　背面表示用孔
１２　　　　回転表示盤用ストッパー
１３　　　　本体ベース
１４　　　　表示盤回転軸
【図１】
0003097801.tif 000003
【図２】
0003097801.tif 000004
【図３】
0003097801.tif 000005
【図４】
0003097801.tif 000006
【手続補正書】
【提出日】平成15年1月23日(2003.1.23)
【手続補正１】
【補正対象書類名】明細書
【補正対象項目名】請求項１
【補正方法】変更
【補正の内容】
【請求項１】
本考案の表示変換装置は鉄球とプレートを使用し自動車の制動時、加速時の鉄球の転がりをプレートの回転運動に変え、さらに上下運動に変えるところを特徴とする自動車の制動表示装置。
【手続補正２】
【補正対象書類名】明細書
【補正対象項目名】請求項２
【補正方法】変更
【補正の内容】
【請求項２】
本考案は前記表示変換装置の表示変換部をキャラクターの片眼とするところを特徴とする請求項１記載の自動車の制動表示装置。
【手続補正３】
【補正対象書類名】明細書
【補正対象項目名】０００１
【補正方法】変更
【補正の内容】
【０００１】
【考案の属する技術分野】
本考案は自動車運転走行時、他運転者にブレーキ制動開始、制動中、完全停止を表示。制動に関する表示を詳細にした自動車の制動表示装置。


【手続補正４】
【補正対象書類名】明細書
【補正対象項目名】０００３
【補正方法】変更
【補正の内容】
【０００３】
【考案が解決しようとする課題】
自動車運転走行時、他運転者にブレーキ制動開始、制動中、完全停止を表示伝達することにより交通流の円滑、及び交通安全の向上。


【手続補正５】
【補正対象書類名】明細書
【補正対象項目名】０００４
【補正方法】変更
【補正の内容】
【０００４】
【課題を解決するための手段】
課題を解決する手段として鉄球とプレートを使用し自動車の制動時及び加速時の鉄球の転がりをプレートの回転運動に変え、さらに上下運動に変え本体に表示変換部を設けキャラクターの片眼を開閉することにより表示を行う片眼はブレーキ操作による制動開始から制動中は閉じ、加速時に開き及び制動後完全停止時に開く，片眼の開閉により制動の時期と制動状態を表示し前記の課題を解決しようとするものである。


【手続補正６】
【補正対象書類名】明細書
【補正対象項目名】０００５
【補正方法】変更
【補正の内容】
【０００５】
【考案の実施の形態】
【実施例】
本考案制動表示装置本体を自動車後部ウインドウ側後方に向け底部を両面接着テープで垂直に固定設置、又は車種により本体吸着盤取り付け穴２を利用して後部ガラス面に吸着盤で垂直に固定する。本制動表示装置はキャラクターの片眼１が自動車運転走行中、ブレーキ操作により制動開始から制動中は閉じ、加速開始から加速中、完全停止に開く装置になっている。走行中ブレーキ操作により制動開始時に鉄球８は進行方向に転がり、プレート１０の下部を押しプレートを回転させる、プレート上部に接続された糸６はプレートの回転により下方向に引き下げられ回転盤５を回す、片眼１は回転盤５により閉じられ、赤色反射テープが接着された回転盤５により赤色となり制動開始、制動中、の表示となる。制動中再び加速開始又は無制動走行になった時、鉄球８は元の位置に戻りプレートもおもり９の作用で元の角度となる、次に糸６に緩みが生じ回転盤はバランス上瞬時に元の角度に戻り閉じていた片眼１は開かれる。片眼１の内側本体部に白色反射テープが接着されていて、片眼１は白色表示となる。又片眼１は完全停止同時に赤色表示から白色表示に変換されブレーキ制動終了の完全停止表示をする。本体素材樹脂板厚１ミリ、寸法１７５ミリ、１３５ミリ、８０ミリ、重量１８０グラム


【手続補正７】
【補正対象書類名】明細書
【補正対象項目名】０００６
【補正方法】変更
【補正の内容】
【０００６】
【考案の効果】
本考案により他運転者にブレーキ制動開始、制動中、完全停止時の表示を行うことにより後続車両運転者は前方走行車両の制動状態をはやく確認することが可能になり正確な制動操作を行うことができる。これにより交通流の円滑、交通安全向上に効果が見込める。




【手続補正書】
【提出日】平成15年6月16日(2003.6.16)
【手続補正１】
【補正対象書類名】明細書
【補正対象項目名】請求項１
【補正方法】変更
【補正の内容】
【請求項１】
本考案の表示変換装置において、（１）自動車制動時、加速時、転がりにより、プレート１０、の下部を本体後方へ押しプレート１０、を回転させる。又、停止時は底部の傾斜により本体前方へ転がり戻る鉄球８。（２）片眼開閉用回転盤５、を糸６、により上下動させる回転軸穴付プレート１０。（３）前面にキャラクター片眼開閉孔を、上部に片眼開閉用回転盤５、の作動スペースを、下部に鉄球前後転がり移動スペースを設けた本体部。以上の構成からなる自動車の制動表示装置。